(57)【要約】【課題】  立った状態で搬送された茎葉が切断器に投入されても切断円板の間をすり抜けてしまうことが問題となっており、茎葉を確実に細かく切断して乾燥しやすい状態で圃場に排出することを目的とする。【解決手段】  左右一対の無端の挟持ベルトで作物の茎葉を挟み、これを引き抜いて機体の後上方に向け搬送し、機体後部の切断器に投下して小片に細断する茎葉処理機において、前記切断器は、機体の前後方向に沿う左右一対の回転軸にそれぞれ多数の切断円板を間隔をあけて取付けて構成し、これら切断円板の刃先部が重なり合う切断部の上方に、前記挟持ベルトの後部を臨ませると共に、挟持ベルトの後部上方には、周回する送り爪を有する左右一対の茎葉送り込み器を配備し、これら送り爪の周回速度を挟持ベルトの搬送速度よりも早くして挟持ベルトの茎葉を後方に引き倒した姿勢で前記切断部に投下する。【選択図】図１
2006333761.tif 000002
【特許請求の範囲】
【請求項１】
左右一対の無端の挟持ベルトで作物の茎葉を挟み、これを引き抜いて機体の後上方に向け搬送し、機体後部の切断器に投下して小片に細断する茎葉処理機において、
前記切断器は、機体の前後方向に沿う左右一対の回転軸にそれぞれ多数の切断円板を間隔をあけて取付けて構成し、
これら切断円板の刃先部が重なり合う切断部の上方に、前記挟持ベルトの後部を臨ませると共に、挟持ベルトの後部上方には、周回する送り爪を有する左右一対の茎葉送り込み器を配備し、これら送り爪の周回速度を挟持ベルトの搬送速度よりも早くして挟持ベルトの茎葉を後方に引き倒した姿勢で前記切断部に投下することを特徴とする茎葉搬送装置。
【請求項２】
前記切断器は、多数の切断円板を取り付けた回転軸を接近させ切断円板が互い違いに重ね合うように配列して切断部を形成し、
前記挟持ベルトを左右に並べて、その後部を前部より高く傾斜させると共に左右２基の間隔をその後部を前部より狭く接近させて機体の正面に設置し、左右２基の挟持ベルトの中間に前記切断部を配置してなる請求項１記載の茎葉搬送装置。
【発明の詳細な説明】
【技術分野】
【０００１】
本発明は、馬鈴薯を地下に留めたままで茎葉を引き抜いて処理する茎葉処理機に関し、詳細には、左右１対の無端の挟持ベルトで茎葉を挟んで後方へ向け搬送する茎葉搬送装置に関するものである。
【背景技術】
【０００２】
茎葉処理機には、カッタなどで茎葉の根部分から馬鈴薯を切離して搬送するものや、茎葉と共に馬鈴薯が引き抜かれないように畝押え機構により畝面を押えつつ、茎葉を引き抜いて搬送する茎葉搬送装置を備えたものが知られている。本出願人によって、茎葉搬送装置と畝押え機構とを備えた茎葉処理機について、すでに特許出願がなされている（特願２００４−２３５２４８）。
【０００３】
この茎葉処理機は、一対の無端ベルトを対向させて近接側に不勢し、その後部を前部よりも高く傾斜して設置した茎葉搬送装置によって無端ベルトの接触面で作物の茎葉を後上方へ挟扼搬送することにより茎葉を引き抜く一方、畝面に沿う形に屈曲した畝押え板を左右に並べ、その間に茎葉通過間隙を形成して畝面を押えつつ茎葉がこの間隙を通過するようにした畝押え機構によって畝面を押圧することで馬鈴薯を畝内部に留めている。
【０００４】
引き抜かれた茎葉は茎葉搬送装置によって後上方に搬送され、茎葉処理機の後部に設けられた切断器に投入される。切断器は、左右に並べて配置した前後向きの駆動軸に複数の切断円板を互い違いに取り付けて形成され、ここに茎葉搬送装置の後上端から茎葉を投入し細かく切断することにより、茎葉が乾燥しやすい状態で圃場に排出する。
【０００５】
しかし、茎葉搬送装置によって引き抜かれた茎葉は立った状態で搬送されてくるため、茎葉搬送装置の後上端から排出し投入された茎葉が切断器の間をすり抜けてしまうことがあった。茎葉が充分に細かく切断されないまま圃場に排出されてしまうと、茎葉が乾燥しにくいため腐ってしまい、病気の元となるおそれがある。
【発明の開示】
【発明が解決しようとする課題】
【０００６】
解決しようとする問題点は、立った状態で搬送された茎葉が切断器に投入されても切断円板の間をすり抜けてしまうことがあった点であり、茎葉を確実に細かく切断して乾燥しやすい状態で圃場に排出することを目的とする。
【課題を解決するための手段】
【０００７】
上記課題を解決するために、請求項１記載のごとく、左右一対の無端の挟持ベルトで作物の茎葉を挟み、これを引き抜いて機体の後上方に向け搬送し、機体後部の切断器に投下して小片に細断する茎葉処理機において、前記切断器は、機体の前後方向に沿う左右一対の回転軸にそれぞれ多数の切断円板を間隔をあけて取付けて構成し、これら切断円板の刃先部が重なり合う切断部の上方に、前記挟持ベルトの後部を臨ませると共に、挟持ベルトの後部上方には、周回する送り爪を有する左右一対の茎葉送り込み器を配備し、これら送り爪の周回速度を挟持ベルトの搬送速度よりも早くして挟持ベルトの茎葉を後方に引き倒した姿勢で前記切断部に投下させた。
【０００８】
請求項２記載のごとく、前記切断器は、多数の切断円板を取り付けた駆動軸を接近させ切断円板が互い違いに重ね合うように配列して切断部を形成し、前記挟持ベルトを茎葉処理機の正面に左右２基並べて、その後部を前部より高く傾斜させると共に左右２基の間隔をその後部を前部より狭く接近して設置し、左右２基の挟持ベルトの中間に前記切断部を配置した。
【発明の効果】
【０００９】
請求項１記載のごとく、挟持ベルトの後部上方に茎葉送り込み器を設けて、挟扼面の上方で挟持ベルトの搬送速度よりも速い速度で送り爪を周回させることによって、切断器に投入される茎葉を後ろ向きに倒伏させることにより、茎葉を切断器に投入するためのシュート装置などを必要とせず機体を大型化することなく、茎葉が起立した姿勢で切断器に投入されることを防いで、茎葉を確実に細かく切断して排出することができる。
【００１０】
請求項２記載のごとく、左右に並べては位置して駆動軸に切断円板を取り付け、この駆動軸を接近させて切断円板が互い違いに配列されるようにし、切断円板の刃先部を重ね合わせて切断部を形成し、この切断部を左右２基設けた挟持ベルトの中間に配置したことにより、２条の畝を同時に茎葉処理すると共に、一つの切断器で茎葉を確実に切断処理することができる。
【発明を実施するための最良の形態】
【００１１】
以下、本発明に係る茎葉処理機について図１乃至図３を参照して詳しく説明する。図１は本発明に係る茎葉処理機の平面図で、図２は茎葉処理機の側面図である。
【００１２】
本発明に係る茎葉処理機１は、機体２の左右両側に三角クローラ型の走行機構３を設けると共に、平面視右側に座席１０及び操縦部１１を設け、左側にはエンジンを収納したエンジンケース１２とエンジンからの動力を伝達するミッションケース１３とを設けて乗用型に構成される。走行機構３は２条の畝を跨ぎ、これらの畝に挟まれた畝溝をゲージホイル１６が転動する。ゲージホイル１６は、油圧機構１５とアーム１７を介して機体２の中央に取り付けられる。
【００１３】
機体２の前方には左右２基の挟持ベルト９を、その前部を低く後部を高く傾斜して設けると共に、その間隔を前部は作物の条間と等しくし、後部は条間より狭く接近して配置して茎葉搬送装置４を形成する。この茎葉搬送装置４は水平駆動軸２０を介して揺動自在に取り付けられている。エンジンからの動力は水平駆動軸２０からギアボックス２１内のベベルギアを介して動力伝達軸２２からそれぞれの挟持ベルト９へ伝達される。水平駆動軸２０はパイプケース２３によって覆われている。このパイプケース２３は、機体２に固定された中央のスリーブ２４によって左右に分割されており、左右の挟持ベルト９はそれぞれ独立して上下に揺動する。
【００１４】
ゲージホイル１６を支持するアーム１７には、その下方に左右向きのクロスバー１８を設けて、クロスバー１８の左右両端をそれぞれ左右の挟持ベルト９の下側に臨ませ、茎葉搬送装置４の前部が下がりすぎると、このクロスバー１８が挟持ベルト９の前部下側に設けられたストッパ１９に当たることにより、茎葉搬送装置４の下死点を規定する。また、作業をせずに走行する際には、ゲージホイル１６を上方に回動してクロスバー１８をストッパ１９に係止して、茎葉搬送装置４を持上げることができる。
【００１５】
茎葉搬送装置４の前部には、その上面側に茎葉掻き込み機構６が設けられ、下方に畝押え機構７が設けられている。茎葉掻き込み機構６は複数の掻き込み爪２７を有しており、挟持ベルト９の前端に配置されたプーリ（図示せず）から動力を伝達して、この掻き込み爪２７を周回させる。畝押え機構７は、板状の畝押圧体３０の前端部を挟持ベルト９の前端部下側に回動可能に取り付け、後端部を連結ロッド３１とロッドホルダ３２を介して機体２と連結して形成される。
【００１６】
また、挟持ベルト９の後部には茎葉送り込み器８を設け、機体２の後部で茎葉搬送装置４の後上端の下方に切断器５を設ける。切断器５は、前後方向に沿う左右２本の回転軸２５、２５を設け、それぞれの回転軸２５、２５に多数の切断円板２６を間隔をあけて取り付けて構成される。回転軸２５、２５は切断円板２６の刃先部が互い違いに重なり合って配列されるように接近して配置される。この刃先部が重なり合わせて形成した切断部２９を茎葉搬送装置４の後方中央に配置して左右の挟持ベルト９の後端から投入された茎葉を細かく切断する。
【００１７】
次に、図３を参照して茎葉搬送装置４の後端に設けた茎葉送り込み器８について説明する。図３は、茎葉処理機の後端部を示す側面図である
【００１８】
挟持ベルト９の後部上方に取り付けられた茎葉送り込み器８は、挟持ベルト９の後端に配置されたプーリ（図示せず）から動力を伝達されて送り爪２８が周回する。このとき送り爪２８の周回速度は、茎葉搬送装置４による茎葉の搬送速度よりも早くする。例えば茎葉搬送速度の１．１〜１．４倍程度の速度で送り爪２８を周回させる。
【００１９】
茎葉搬送装置４によって根本を挟持されて引き抜かれると共に後上方へ搬送された茎葉は、茎葉搬送装置４の後上端から排出される。このとき、茎葉送り込み器８により茎葉搬送装置４の搬送速度よりも速い速度で茎葉を送り込んで後方に引き倒すことにより、茎葉搬送装置４から排出されるときに茎葉が前後向きに倒伏した状態となり、切断円板２６により確実に細かく切断することができる。
【図面の簡単な説明】
【００２０】
【図１】本発明に係る茎葉処理機の平面図である。
【図２】本発明に係る茎葉処理機の側面図である。
【図３】茎葉処理機の後端部を示す側面図である。
【符号の説明】
【００２１】
１    茎葉処理機
２    機体
３    走行機構
４    茎葉搬送装置
５    切断器
６    茎葉掻き込み機構
７    畝押え機構
８    茎葉送り込み器
９    挟持ベルト
１０  座席
１１  操縦部
１２  エンジンケース
１３  ミッションケース
１５  油圧機構
１６  ゲージホイル
１７  アーム
１８  クロスバー
１９  ストッパ
２０  水平駆動軸
２１  ギアボックス
２２  動力伝達軸
２３  パイプケース
２４  スリーブ
２５  回転軸
２６  切断円板
２７  掻き込み爪
２８  送り爪
２９  切断部
３０  畝押圧体
３１  連結ロッド
３２  ロッドホルダ
３３  係止突起部
【図１】
2006333761.tif 000003
【図２】
2006333761.tif 000004
【図３】
2006333761.tif 000005